(57)【要約】【課題】装置の小型化を図りつつ、従来と同様の操作性、取扱性を確保する紙葉類処理装置を提供すること。【解決手段】紙葉類処理装置１０が、紙葉類が投入される投入部１００と、紙葉類が投出される投出部１９０と、投入部１００から投入された紙葉類を投出部１９０に搬送する搬送部１２０，１３５，１４０，１６０，１８０と、紙葉類を収納する収納部２１０，２２０，２３０と、搬送部１２０，１３５，１４０，１６０，１８０によって搬送される紙葉類を収納部２１０，２２０，２３０に振り分ける振分部１３０，１５０，１７０と、を備え、振分部１３０，１５０，１７０により紙葉類が振り分けられる振分点Ａ１，Ｂ１，Ｃ１は、搬送部１２０，１３５，１４０，１６０，１８０の終端部よりも高い位置に設けられている。【選択図】図１
2019082804.tif 000002
【特許請求の範囲】
【請求項１】
紙葉類が投入される投入部と、
前記紙葉類が投出される投出部と、
前記投入部から投入された前記紙葉類を前記投出部に搬送する搬送部と、
前記紙葉類を収納する収納部と、
前記搬送部によって搬送される前記紙葉類を前記収納部に振り分ける振分部と、を備え、
前記振分部により前記紙葉類が振り分けられる振分点は、前記搬送部の終端部よりも高い位置に設けられていることを特徴とする紙葉類処理装置。
【請求項２】
前記搬送部は、前記投入部を起点として一方側から他方側に前記紙葉類を搬送する第１搬送部と、前記投出部に向かって他方側から一方側に前記紙葉類を搬送する第２搬送部と、前記第１搬送部と前記第２搬送部を接続する折返部とを有し、
前記第２搬送部の少なくとも一部は、前記終端部に向かって下向きに傾斜して形成されていること特徴とする請求項１に記載の紙葉類処理装置。
【請求項３】
前記搬送部は、前記投入部を起点として一方側から他方側に前記紙葉類を搬送する第１搬送部と、前記投出部に向かって他方側から一方側に前記紙葉類を搬送する第２搬送部と、前記第１搬送部と前記第２搬送部を接続する折返部とを有し、
前記第２搬送部の少なくとも一部は、前記終端部に向かって下向きの階段状に形成されていることを特徴とする請求項１に記載の紙葉類処理装置。
【請求項４】
前記振分部は、２方向に前記紙葉類を振り分けることを特徴とする請求項１〜３のいずれか１項に記載の紙葉類処理装置。
【請求項５】
前記収納部は、一方側に配置される第１収納部と、他方側に配置される第２収納部とを含み、
前記第１収納部の上端は、前記第２収納部の上端よりも低い位置に形成されていることを特徴とする請求項１〜４のいずれか１項に記載の紙葉類処理装置。
【請求項６】
前記第２収納部は、前記紙葉類の収納及び操出を行うことを特徴とする請求項５に記載の紙葉類処理装置。
【請求項７】
前記第２収納部は、回転体の周囲に前記紙葉類を巻き取って収納する巻き取り式収納部であることを特徴とする請求項５又は６に記載の紙葉類処理装置。
【請求項８】
前記第２収納部は、前記紙葉類を収納する際、前記回転体を左側面視で反時計回りに回転させることを特徴とする請求項７に記載の紙葉類処理装置。
【請求項９】
前記第１収納部は、回収される前記紙葉類を集積するとともに、一方側から取出可能に設けられていることを特徴とする請求項５〜８のいずれか１項に記載の紙葉類処理装置。
【請求項１０】
前記投入部の他方側には、前記投入部から投入された前記紙葉類を識別する識別部が設けられていることを特徴とする請求項５〜９のいずれか１項に記載の紙葉類処理装置。
【請求項１１】
前記振分部は複数設けられているとともに、前記振分部内には、前記振分点と、前記投入部から投入された前記紙葉類が前記投出部に搬送される場合に該紙葉類が描く軌跡と前記第２収納部に収納されている前記紙葉類が前記投出部に向けて繰り出される場合に該紙葉類が描く軌跡とが合流する合流点とが位置しており、
複数の前記振分部のうち、最も他方側に配置された前記振分部内に位置する前記振分点は、該振分部内に位置する前記合流点よりも高い位置に配置されることを特徴とする請求項１０に記載の紙葉類処理装置。
【請求項１２】
前記投出部には、前記投出部を覆うシャッタが設けられていることを特徴とする請求項１〜１１のいずれか１項に記載の紙葉類処理装置。
【請求項１３】
前記投出部の上側には前記シャッタを駆動する駆動機構が設けられていることを特徴とする請求項１２に記載の紙葉類処理装置。
【請求項１４】
前記振分点は、前記投入部よりも低い位置に設けられていることを特徴とする請求項１〜１３のいずれか１項に記載の紙葉類処理装置。
【発明の詳細な説明】
【技術分野】
【０００１】
本発明は、紙葉類の収納および排出を行う紙葉類処理装置に関するものである。
【背景技術】
【０００２】
従来、顧客との取引内容に応じて、紙幣などの現金が投入され、投入された現金を計数、収納し、計数結果に応じて、収納されている現金を投出する現金処理装置が知られている（例えば、特許文献１参照）。
【先行技術文献】
【特許文献】
【０００３】
【特許文献１】特開２０１２−１７４０４７号公報
【発明の概要】
【発明が解決しようとする課題】
【０００４】
このような現金処理装置は、設置スペースなどの関係上、使用者から小型化が求められている。
【０００５】
しかしながら、装置の小型化を図ると、操作部や現金収納部などを小さくする必要があり、装置の操作性や現金の収納量が低下する可能性がある。また、現金の投入口及び投出口も小さくせざるを得なくなり、現金の投入及び投出に不都合が生じるなど、装置の取扱性が低下する恐れがある。
【０００６】
本発明は、装置の小型化を図りつつ、従来と同様の操作性、取扱性、収納量を確保する紙葉類処理装置を提供することを目的する。
【課題を解決するための手段】
【０００７】
上記目的を達成するために、本発明の紙葉類処理装置は、紙葉類が投入される投入部と、紙葉類が投出される投出部と、投入部から投入された紙葉類を投出部に搬送する搬送部と、紙葉類を収納する収納部と、搬送部によって搬送される紙葉類を収納部に振り分ける振分部と、を備え、振分部により紙葉類が振り分けられる振分点は、搬送部の終端部よりも高い位置に設けられている。
【発明の効果】
【０００８】
本発明の紙葉類処理装置によれば、装置の小型化を図りつつ、従来と同様の操作性、取扱性、収納量を確保することができる。
【図面の簡単な説明】
【０００９】
【図１】本発明の実施の形態に係る紙葉類処理装置を示す左側面視断面図
【図２】第１振分部、第２振分部及び第３振分部付近を拡大した左側面視断面図
【図３】第１収納部において紙葉類の詰まりが発生する様子を説明する図
【発明を実施するための形態】
【００１０】
以下、本発明の実施の形態について、図面を参照しながら説明する。なお、図面は、理解しやすくするためにそれぞれの構成要素を模式的に示している。
【００１１】
図１は、本発明の実施の形態に係る紙葉類処理装置を示す左側面視断面図である。また、図２は、第１振分部、第２振分部及び第３振分部付近を拡大した左側面視断面図である。
【００１２】
本発明の実施の形態に係る紙葉類処理装置１０は、筐体２０と、筐体２０の一方側に設けられた投入部１００と、筐体２０の一方側であって、且つ、投入部１００の下方に設けられた投出部１９０と、投出部１９０を覆うシャッタ２００とを備える。また、紙葉類処理装置１０は、その内部に、紙葉類を他方側に搬送する第１搬送部１２０と、紙葉類の搬送方向を他方側から一方側に転換させる折返部１２５と、紙葉類を一方側に搬送する、第２搬送部１３５と、第３搬送部１４０と、第４搬送部１６０と、第５搬送部１８０と、第６搬送部２４０と、を備える。また、紙葉類処理装置１０は、その内部に、紙葉類を収納する、第１収納部２５０と、第２収納部２１０と、第３収納部２２０と、第４収納部２３０とを備える。また、紙葉類処理装置１０は、紙葉類の振り分けを行う、第１振分部１３０と、第２振分部１５０と、第３振分部１７０と、を備える。また、紙葉類処理装置１０は、各部の動作を制御する制御部（図示せず）を備える。
【００１３】
ここで、一方側とは、投入部１００及び投出部１９０が設けられている側をいう。これ以降、投入部１００及び投出部１９０が設けられている側を前面側と称する。また、他方側とは、一方側の反対側をいう。これ以降、一方側の反対側を背面側と称する。また、紙葉類処理装置１０を前面側から見て左手方向を左側と称する。
【００１４】
筐体２０は、各部を収容する箱体であり、前面側に投入部１００と、投出部１９０とを備える。本発明の実施の形態に係る紙葉類処理装置１０の筐体２０は、机上などに載置可能なデスクトップサイズに形成されている。
【００１５】
投入部１００は、投入される紙葉類を受け入れる受入部である。投入部１００には、投入口が形成されており、使用者は、投入口から紙葉類を紙葉類処理装置１０に投入する。投入部１００は、投入される紙葉類を一枚ずつ受け入れるようにしてもよいし、複数枚まとめて受け入れるようにしてもよい。
【００１６】
第１搬送部１２０は、投入部１００から投入された紙葉類を背面側に搬送する搬送路である。第１搬送部１２０は、該第１搬送部１２０の上下に設けられた一対のローラが繰り出す紙葉類を搬送する。また、第１搬送部１２０は、該第１搬送部１２０の上下に設けられた一対の無端ベルト（図示せず。）が繰り出す紙葉類を搬送する。
【００１７】
無端ベルトは、複数のローラ（図示せず。）に巻き掛けられており、これら複数のローラのうち、少なくとも一つのローラが回転駆動し、該ローラの駆動力が無端ベルトに伝達することにより無端ベルトは回転する。
【００１８】
なお、図１は、第１搬送部１２０が上下方向に何度も折れ曲がって形成された態様を示しているが、第１搬送部１２０は、直線状に形成されていてもよい。
【００１９】
識別部１１０は、投入部１００から投入された紙葉類を識別する識別装置である。識別部１１０は、投入部１００の背面側であって、且つ、第１搬送部１２０の途中の位置に設けられている。
【００２０】
識別部１１０は、イメージセンサや磁気センサなどのセンサを備えている。また、識別部１１０は、メモリなどの記憶部を備えている。
【００２１】
識別部１１０は、センサで読み取った紙葉類の情報と記憶部に記憶されている紙葉類情報とを比較し、紙葉類の種別判定、真贋判定、損傷及び汚れなどの判定を行う。
【００２２】
制御部は、識別部１１０による紙葉類の種別判定の結果に基づいて、紙葉類を、第２収納部２１０、第３収納部２２０及び第４収納部２３０のうち、いずれの収納部に収納するかを決定する。
【００２３】
また、制御部は、識別部１１０において、紙葉類が贋券であると判定された場合や、紙葉類の損傷が激しいと判定された場合、該紙葉類をリジェクト紙葉類として第１収納部２５０に収納するよう各部を制御する。第１収納部２５０に収納された紙葉類は、紙葉類処理装置１０の使用者などよって回収される。
【００２４】
折返部１２５は、第１搬送部１２０によって背面側に搬送される紙葉類の搬送方向を前面側に方向転換させる搬送路である。折返部１２５は、円弧状に形成されており、その一端部が第１搬送部１２０に接続され、他端部が第２搬送部１３５に接続される。
【００２５】
ただし、折返部１２５の形状は、円弧状に限られず、折返部１２５は、直線状に形成された搬送路を含んでいてもよい。例えば、折返部１２５は、背面側に向かう搬送路を下方に向かうように方向転換させる円弧状の搬送路と、下方に向かって直線上に形成された搬送路と、下方に向かって形成された搬送路を前面側に向かうように方向転換させる円弧状の搬送路とを含んでいてもよい。
【００２６】
第２搬送部１３５、第３搬送部１４０、第４搬送部１６０及び第５搬送部１８０は、折返部１２５において搬送方向が背面側から前面側に転換された紙葉類を前面側に配置された投出部１９０に向けて搬送する搬送路である。
【００２７】
第２搬送部１３５は、その一端部が折返部１２５に接続され、折返部１２５から斜下前方に向かって形成された搬送路である。また、第２搬送部１３５の他端部には、第１振分部１３０が接続される。
【００２８】
第３搬送部１４０は、その一端部が第１振分部１３０に接続され、第１振分部１３０から前面側に向かって水平に形成された搬送路と、該水平に形成された搬送路から斜下前方に向かって形成された搬送路からなる。また、第３搬送部１４０の他端部には、第２振分部１５０が接続される。
【００２９】
第４搬送部１６０は、その一端部が、第２振分部１５０に接続され、第２振分部１５０から前面側に向かって形成された搬送路である。また、第４搬送部１６０の他端部には、第３振分部１７０が接続される。
【００３０】
第５搬送部１８０は、その一端部が、第３振分部１７０に接続され、第３振分部１７０から前方に向かって水平に形成される搬送路と、該搬送路から斜下前方に向かって形成される搬送路と、該斜下前方に向かって形成される搬送路から終端部に向かって水平に形成される搬送路からなる。また、第５搬送部１８０の終端部は、投出部１９０上方に配置されている。
【００３１】
すなわち、第２搬送部１３５、第３搬送部１４０、第４搬送部１６０及び第５搬送部１８０からなる搬送路は、階段状に形成されている。ただし、第２搬送部１３５、第３搬送部１４０、第４搬送部１６０及び第５搬送部１８０からなる搬送路は、このような形状に限られず、例えば、下方に向かって直線的に傾斜していてもよいし、下方に向かって曲線状に形成されていてもよい。
【００３２】
第１振分部１３０は、紙葉類の振り分けを行う３方向分岐の振分装置である。
【００３３】
第１振分部１３０は、円筒状の振分部本体１３０ｅと、振分部本体１３０ｅに収容され、振分部本体１３０ｅの中心軸を回動中心として回動する振分爪１３０ｄと、振分部本体１３０ｅの円筒面から外側に延びるように形成された３つの通過経路１３０ａ，１３０ｂ，１３０ｃと、各通過経路に設けられた一対のローラ１３０ａ１，１３０ｂ１，１３０ｃ１とを備える。
【００３４】
第１振分部１３０は、振分部本体１３０ｅと、振分爪１３０ｄと、通過経路１３０ａ，１３０ｂ，１３０ｃと、一対のローラ１３０ａ１，１３０ｂ１，１３０ｃ１とが、一つのユニットとして構成されていていてもよいし、それぞれ、別部材として構成されていてもよい。
【００３５】
３つの通過経路のうちの一の通過経路１３０ａは、その端部が第２搬送部１３５に接続されている。第１振分部１３０は、第２搬送部１３５によって搬送された紙葉類を、該通過経路１３０ａに設けられた一対のローラ１３０ａ１によって内部に繰り入れる。
【００３６】
３つの通過経路のうちの他の通過経路１３０ｂは、その端部が第３搬送部１４０に接続されている。第１振分部１３０は、紙葉類を第３搬送部１４０に向けて繰り出す場合、通過経路１３０ｂに設けられた一対のローラ１３０ｂ１によって紙葉類を繰り出す。
【００３７】
３つの通過経路のうちのさらに他の通過経路１３０ｃは、その端部が第２収納部２１０に接続された搬送路１４５に接続される。紙葉類が第２収納部２１０に収納される場合、通過経路１３０ｃに設けられた一対のローラ１３０ｃ１が、第２収納部２１０に接続された搬送路１４５に向けて紙葉類を繰り出す。また、第２収納部２１０に収容されている紙葉類が第１振分部１３０の内部に繰り入れられる場合、通過経路１３０ｃに設けられた一対のローラ１３０ｃ１が、紙葉類を内部に繰り入れる。
【００３８】
第１振分部１３０の振分部本体１３０ｅの内部には、略三角柱形状の空間部が形成されており、該空間部において、通過経路１３０ａ，１３０ｂ，１３０ｃがそれぞれ合流している。
【００３９】
振分爪１３０ｄは、左側面視Ａ字状に形成されており、左右方向に延びる水平軸を中心に回動可能に設けられている。振分爪１３０ｄは、所定の姿勢に制御されることにより、振分部本体１３０ｅの空間部に繰り入れられた紙葉類を所望の通過経路に振り分ける。
【００４０】
なお、以下では、通過経路１３０ａを通過した紙葉類が第３搬送部１４０に振り分けられた場合に該紙葉類が描く軌跡と、通過経路１３０ａを通過した紙葉類が第２収納部２１０に振り分けられた場合に該紙葉類が描く軌跡とが分岐する位置を振分点Ａ１と称する。また、通過経路１３０ａを通過した紙葉類が第３搬送部１４０に振り分けられた場合に該紙葉類が描く軌跡と、第２収納部２１０に収納されていた紙葉類が第３搬送部１４０に向けて繰り出された場合に該紙葉類が描く軌跡とが合流する位置を合流点Ａ２と称する。
【００４１】
第２振分部１５０は、紙葉類の振り分けを行う３方向分岐の振分装置である。
【００４２】
第２振分部１５０は、円筒状の振分部本体１５０ｅと、振分部本体１５０ｅに収容され、振分部本体１５０ｅの中心軸を回動中心として回動する振分爪１５０ｄと、振分部本体１５０ｅの円筒面から外側に延びるように形成された３つの通過経路１５０ａ，１５０ｂ，１５０ｃと、各通過経路に設けられた一対のローラ１５０ａ１，１５０ｂ１，１５０ｃ１とを備える。
【００４３】
第２振分部１５０は、振分部本体１５０ｅと、振分爪１５０ｄと、通過経路１５０ａ，１５０ｂ，１５０ｃと、一対のローラ１５０ａ１，１５０ｂ１，１５０ｃ１とが、一つのユニットとして構成されていていてもよいし、それぞれ、別部材として構成されていてもよい。
【００４４】
３つの通過経路のうちの一の通過経路１５０ａは、その端部が第３搬送部１４０に接続される。第２振分部１５０は、第３搬送部１４０によって搬送された紙葉類を、該通過経路１５０ａに設けられた一対のローラ１５０ａ１によって内部に繰り入れる。
【００４５】
３つの通過経路のうちの他の通過経路１５０ｂは、その端部が第４搬送部１６０に接続されている。第２振分部１５０は、紙葉類を第４搬送部１６０に向けて繰り出す場合、通過経路１５０ｂに設けられた一対のローラ１５０ｂ１によって紙葉類を繰り出す。
【００４６】
３つの通過経路のうちのさらに他の通過経路１５０ｃは、その端部が第３収納部２２０に接続される。紙葉類が第３収納部２２０に収納される場合、通過経路１５０ｃに設けられた一対のローラ１５０ｃ１が、第３収納部２２０に向けて紙葉類を繰り出す。また、第３収納部２２０に収容されている紙葉類が第２振分部１５０の内部に繰り入れられる場合、通過経路１５０ｃに設けられた一対のローラ１５０ｃ１が、紙葉類を内部に繰り入れる。
【００４７】
第２振分部１５０の振分部本体１５０ｅの内部には、略三角柱形状の空間部が形成されており、該空間部において、通過経路１５０ａ，１５０ｂ，１５０ｃがそれぞれ合流している。
【００４８】
振分爪１５０ｄは、左側面視Ａ字状に形成されており、左右方向に延びる水平軸を中心に回動可能に設けられている。振分爪１５０ｄは、所定の姿勢に制御されることにより、振分部本体１５０ｅの空間部に繰り入れられた紙葉類を所望の通過経路に振り分ける。
【００４９】
なお、以下では、通過経路１５０ａを通過した紙葉類が第４搬送部１６０に振り分けられた場合に該紙葉類が描く軌跡と、通過経路１５０ａを通過した紙葉類が第３収納部２２０に振り分けられた場合に該紙葉類が描く軌跡とが分岐する位置を振分点Ｂ１と称する。また、通過経路１５０ａを通過した紙葉類が第４搬送部１６０に振り分けられた場合に該紙葉類が描く軌跡と、第２収納部２１０に収納されていた紙葉類が第４搬送部１６０に向けて繰り出された場合に該紙葉類が描く軌跡とが合流する位置を合流点Ｂ２と称する。
【００５０】
第３振分部１７０は、紙葉類の振り分けを行う３方向分岐の振分装置である。
【００５１】
第３振分部１７０は、円筒状の振分部本体１７０ｅと、振分部本体１７０ｅに収容され、振分部本体１７０ｅの中心軸を回動中心として回動する振分爪１７０ｄと、振分部本体１７０ｅの円筒面から外側に延びるように形成された３つの通過経路１７０ａ，１７０ｂ，１７０ｃと、各通過経路に設けられた一対のローラ１７０ａ１，１７０ｂ１，１７０ｃ１とを備える。
【００５２】
第３振分部１７０は、振分部本体１７０ｅと、振分爪１７０ｄと、通過経路１７０ａ，１７０ｂ，１７０ｃと、一対のローラ１７０ａ１，１７０ｂ１，１７０ｃ１とが、一つのユニットとして構成されていていてもよいし、それぞれ、別部材として構成されていてもよい。
【００５３】
３つの通過経路のうちの一の通過経路１７０ａは、その端部が第４搬送部１６０に接続されている。第３振分部１７０は、第４搬送部１６０によって搬送された紙葉類を、該通過経路１７０ａに設けられた一対のローラ１７０ａ１によって内部に繰り入れる。
【００５４】
３つの通過経路のうちの他の通過経路１７０ｂは、その端部が第５搬送部１８０に接続されている。第３振分部１７０は、紙葉類を第５搬送部１８０に向けて繰り出す場合、通過経路１７０ｂに設けられた一対のローラ１７０ｂ１によって紙葉類を繰り出す。
【００５５】
３つの通過経路のうちのさらに他の通過経路１７０ｃは、その端部が第４収納部２３０に接続される。紙葉類が第４収納部２３０に収納される場合、通過経路１７０ｃに設けられた一対のローラ１７０ｃ１が、紙葉類を第４収納部２３０に向けて繰り出す。また、第４収納部２３０に収容されている紙葉類が第３振分部１７０の内部に繰り入れられる場合、通過経路１７０ｃに設けられた一対のローラ１７０ｃ１が、紙葉類を繰り入れる。
【００５６】
第３振分部１７０の振分部本体１７０ｅの内部には、略三角柱形状の空間部が形成されており、該空間部において、通過経路１７０ａ，１７０ｂ，１７０ｃがそれぞれ合流している。
【００５７】
振分爪１７０ｄは、左側面視Ａ字状に形成されており、左右方向に延びる水平軸を中心に回動可能に設けられている。振分爪１７０ｄは、所定の姿勢に制御されることにより、振分部本体１７０ｅの空間部に繰り入れられた紙葉類を所望の通過経路に振り分ける。
【００５８】
なお、以下では、通過経路１７０ａを通過した紙葉類が第５搬送部１８０に振り分けられた場合に該紙葉類が描く軌跡と、通過経路１７０ａを通過した紙葉類が第４収納部２３０に振り分けられた場合に該紙葉類が描く軌跡とが分岐する位置を振分点Ｃ１と称する。また、通過経路１７０ａを通過した紙葉類が第５搬送部１８０に振り分けられた場合に該紙葉類が描く軌跡と、第４収納部２３０に収納されていた紙葉類が第５搬送部１８０に向けて繰り出された場合に該紙葉類が描く軌跡とが合流する位置を合流点Ｃ２と称する。
【００５９】
本発明の実施の形態では、第２振分部１５０は、該第２振分部１５０の振分点Ｂ１と合流点Ｂ２とが同じ高さになる姿勢で紙葉類処理装置１０に組み込まれている。また、第３振分部１７０は、該第３振分部１７０の振分点Ｃ１と合流点Ｃ２とが同じ高さになる姿勢で紙葉類処理装置１０に組み込まれている。
【００６０】
一方、第１振分部１３０は、該第１振分部１３０の振分点Ａ１の方が合流点Ａ２よりも高い位置に配置されるように紙葉類処理装置１０に組み込まれている。すなわち、第１振分部１３０は、第２振分部１５０及び第３振分部１７０の姿勢を基準として、左側面視で、時計回りに回転させた姿勢で紙葉類処理装置１０に組み込まれている。
【００６１】
これにより、第１振分部１３０の振分点Ａ１の位置を前面側に移動させることができ、紙葉類処理装置１０の前後方向の長さを短くすることができる。
【００６２】
第２収納部２１０、第３収納部２２０及び第４収納部２３０は、紙葉類の収納及び排出を行う収納装置である。また、第２収納部２１０、第３収納部２２０及び第４収納部２３０は、巻き取り式の収納装置である。
【００６３】
ここで、巻き取り式の収納装置とは、装置内部に設けられたドラムが帯状テープとともに紙葉類の巻取り及び巻戻しを行って、紙葉類の収納および排出を行う収納装置である。
【００６４】
ドラムの外周には、一対の帯状テープの一端が接続されており、左側面視で、ドラムが反時計回りに回転すると、帯状テープがドラムに巻き取られる。このとき、一対の帯状テープの間に紙葉類が１枚ずつ挟み込まれ、帯状テープとともに紙葉類がドラムに巻き取られる。
【００６５】
また、ドラムが時計回りに回転すると、帯状テープがドラムから巻き戻される。このとき、一対の帯状テープの間の間に挟み込まれていた紙葉類は、帯状テープの間から繰り出される。
【００６６】
第２収納部２１０の上面には、紙葉類の通過口が形成されており、該通過口には通過経路１３０ｃに接続された搬送路１４５が接続される。第２収納部２１０は、通過口から受け入れた紙葉類をドラムで巻き取ることにより紙葉類を内部に収容する。また、第２収納部２１０は、ドラムに巻き取られている紙葉類を巻き戻すことにより、通過口から第１振分部１３０側に紙葉類を繰り出す。
【００６７】
第３収納部２２０の上面には、紙葉類の通過口が形成されており、該通過口には第２振分部１５０の通過経路１５０ｃが接続される。第３収納部２２０は、通過口から受け入れた紙葉類をドラムで巻き取ることにより紙葉類を内部に収容する。また、第３収納部２２０は、ドラムに巻き取られている紙葉類を巻き戻すことにより、通過口から第２振分部１５０側に紙葉類を繰り出す。
【００６８】
第４収納部２３０の上面には、紙葉類の通過口が形成されており、該通過口には第３振分部１７０の通過経路１７０ｃが接続される。第４収納部２３０は、通過口から受け入れた紙葉類をドラムで巻き取ることにより紙葉類を内部に収容する。また、第４収納部２３０は、ドラムに巻き取られている紙葉類を巻き戻すことにより、通過口から第３振分部１７０側に紙葉類を繰り出す。
【００６９】
第６搬送部２４０は、第５搬送部１８０から分岐する搬送路である。第６搬送部２４０は、第１収納部２５０に向かって紙葉類を搬送する。
【００７０】
第６搬送部２４０が第５搬送部１８０から分岐する分岐部には、分岐爪２７０が設けられている。分岐爪２７０は、第５搬送部１８０によって搬送されてきた紙葉類を投出部１９０又は第１収納部２５０の何れかに振り分ける機能を有する。
【００７１】
第１収納部２５０は、第６搬送部２４０によって搬送された紙葉類を収納する集積式の収納装置である。第１収納部２５０は、上部に形成された受入口から紙葉類を収納する。第１収納部２５０は、内部に収容箱２５１を有しており、収容箱２５１は、筐体２０から前面側に向かって取り出し可能である。なお、第１収納部２５０は、巻き取り式の収納装置であってもよい。
【００７２】
第１収納部２５０は、第２収納部２１０、第３収納部２２０および第４収納部２３０よりも低く形成されている。すなわち、第１収納部２５０の上端は、第２収納部２１０、第３収納部２２０および第４収納部２３０の上端よりも低い位置に位置する。
【００７３】
投出部１９０は、第２収納部２１０、第３収納部２２０及び第４収納部２３０に収納されている紙葉類、並びに、投入部１００から投入され、識別部１１０において、リジェクト紙葉類であると判定された紙葉類を外部に投出する投出装置である。投出部１９０は、第５搬送部１８０によって搬送された紙葉類を集積する集積部１９０ａを有する。
【００７４】
集積部１９０ａの前方には、凹部が設けられている。使用者は、集積部１９０ａに積み上げられた紙葉類の下方に位置する凹部に手を入れて、紙葉類を投出することができる。
【００７５】
シャッタ２００は、投出部１９０の投出口を開閉する開閉部材である。シャッタ２００は、シャッタ２００の背面側に設けられたシャッタ駆動装置２００ａによって開閉される。シャッタ２００は、閉状態において投出部１９０を覆い、開状態において投出部１９０を開放する。なお、シャッタ駆動装置２００ａは、閉状態においてロックすることによりシャッタ２００の開放を禁止し、開状態においてロックを解除することによりシャッタ２００の開放を許可する構成であってもよい。
【００７６】
次に、紙葉類処理装置１０に紙葉類が投入される際の各部の動作について説明する。まず、一例として、投入された紙葉類が、第２収納部２１０に収納される際の各部の動作について説明する。
【００７７】
紙葉類は、紙葉類処理装置１０の前面に設けられた投入部１００から投入される。投入された紙葉類は、第１搬送部１２０によって識別部１１０に搬送され、識別部１１０において、種別判定、真贋判定、損傷の有無の判定が行われる。紙葉類は、識別部１１０において、真券かつ損傷なしと判定された場合、その種別に応じて、第２収納部２１０、第３収納部２２０又は第４収納部２３０のうち、いずれの収納部に収納すべきであるかが決定される。また、投入された紙葉類は、識別部１１０において、例えば、贋券又は損傷有りと判定された場合、紙葉類は、第１収納部２５０に収納すべきものであると判定される。
【００７８】
識別部１１０の識別結果にかかわらず、紙葉類は、第１搬送部１２０によって紙葉類処理装置１０の背面側に搬送される。第１搬送部１２０によって搬送された紙葉類は、折返部１２５において搬送方向が転換されるとともに、第２搬送部１３５によって前面側に搬送される。
【００７９】
紙葉類が第２収納部２１０に収納すべきものである場合、制御部は、第１振分部１３０の通過経路１３０ａと通過経路１３０ｃとが連通するように第１振分部１３０の振分爪１３０ｄを制御する。
【００８０】
第１振分部１３０において第２収納部２１０に振り分けられた紙葉類は、第２収納部２１０に向けて繰り出され、第２収納部２１０に収納される。このとき、紙葉類は、第２収納部２１０の内部において、左側面視反時計回りに回転するドラムによって一対の帯状テープとともに巻き取られる。
【００８１】
次に、別の例として、投入された紙葉類が、第１収納部２５０に収納される際の各部の動作について説明する。
【００８２】
投入部１００から投入された紙葉類が、識別部１１０において、例えば、贋券であると判定された場合、紙葉類は、第１収納部２５０に収納される。紙葉類が第１収納部２５０に収納される場合、紙葉類は、第１搬送部１２０、折返部１２５、第２搬送部１３５、第１振分部１３０、第３搬送部１４０、第２振分部１５０、第４搬送部１６０、第３振分部１７０、第５搬送部１８０、第６搬送部２４０を順次通過して、第１収納部２５０に収納される。
【００８３】
このとき、第１振分部１３０の振分爪１３０ｄは、第１振分部１３０の通過経路１３０ａと通過経路１３０ｂが連通するように制御される。また、第２振分部１５０の振分爪１５０ｄは、通過経路１５０ａと通過経路１５０ｂが連通するように制御され、第３振分部１７０の振分爪１７０ｄは、通過経路１７０ａと通過経路１７０ｂとが連通するように制御される。また、分岐爪２７０は、搬送されてきた紙葉類を第６搬送部２４０に振り分けるように制御される。
【００８４】
上述したように、第１収納部２５０の収容箱２５１は、筐体２０に対して前面側に取り出し可能に設けられており、第１収納部２５０に収納された贋券などは、使用者などによって第１収納部２５０から取り出されて回収される。
【００８５】
次に、紙葉類処理装置１０に収納されている紙葉類が投出される際の各部の動作について説明する。ここでは、一例として、第２収納部２１０に収容されている紙葉類が、投出部１９０に投出される際の各部の動作について説明する。
【００８６】
第２収納部２１０から繰り出された紙葉類が投出部１９０に投出される場合、第２収納部２１０のドラムは、左側面視で時計回りに回転し、一対の帯状テープを巻き戻す。このとき、一対の帯状テープとともに巻き取られていた紙葉類は、第２収納部２１０の通過口から第１振分部１３０に向けて繰り出される。
【００８７】
制御部は、このとき、通過経路１３０ｃと通過経路１３０ｂとを連通させるように第１振分部１３０の振分爪１３０ｄを制御する。また、制御部は、第２振分部１５０の通過経路１５０ａと通過経路１５０ｂが連通するように振分爪１５０ｄを制御し、第３振分部１７０の通過経路１７０ａと通過経路１７０ｂとが連通するように振分爪１７０ｄを制御する。
【００８８】
したがって、第２収納部２１０から繰り出された紙葉類は、第１振分部１３０、第３搬送部１４０、第２振分部１５０、第４搬送部１６０、第３振分部１７０及び第５搬送部１８０を順次通過し、投出部１９０に投出される。投出部１９０に投出された紙葉類は、投出部１９０の集積部１９０ａに集積される。
【００８９】
投出される紙葉類の集積部１９０ａへの集積が完了すると、制御部は、シャッタ駆動装置２００ａを駆動制御してシャッタ２００を開放状態にする。
【００９０】
シャッタ２００が開放されると、使用者は、集積部１９０ａに集積された紙葉類を取り出すことが可能となる。
【００９１】
本発明の実施の形態では、紙葉類を前面側に搬送する搬送部を前面側に向かうにしたがって下降するように形成し、これに合わせて投出部１９０を低い位置に設けている。このため、投出部１９０の上部の領域を大きくすることができる。
【００９２】
この場合、投出部１９０及びシャッタ２００を大きく形成しても、シャッタ２００を上方に大きく開放させることができる。したがって、集積部１９０ａに集積されている紙葉類を使用者に視認させやすくすることができるとともに、使用者の指が比較的太い場合であっても、投出部１９０から紙葉類をスムーズに取り出させることができる。また、投出部１９０を大きく形成して、集積可能な紙葉類の量を増やすことができる。
【００９３】
次に、第１収納部２５０における紙葉類の詰まりを抑制するための構成について説明する。図３は、第１収納部２５０において紙葉類の詰まりが発生する様子を説明する図である。
【００９４】
第２収納部２１０、第３収納部２２０及び第４収納部２３０は、円筒状のドラムによって紙葉類を巻き取る巻き取り式の収納装置である。このため、紙葉類は、これらの収納部に収納されている間に、弓なりに曲がった形状の癖がつきやすい。弓なりに曲がった形状に癖付いた紙葉類は、第１収納部２５０に収納されると、弓なりに曲がった形状のまま積み重ねられることになる。
【００９５】
ここで、第２収納部２１０、第３収納部２２０および第４収納部２３０のドラムが、左側面視時計回りに回転して紙葉類を巻き取るとともに、反時計回りに回転して紙葉類を繰り出す場合を想定する。この場合、これらの収納部から繰り出された紙葉類は、収容箱２５１内において、下側に反る形で積み重ねられる。すなわち、図３に示すように、前面側及び背面側の紙葉類の両端部が浮いてしまう可能性がある。この場合、収容箱２５１に積み重ねられている紙葉類の端部に、第６搬送部２４０によって搬送されてきた紙葉類が衝突して、内部で詰まりが発生することが懸念される。
【００９６】
そのため、本発明の実施の形態では、第１収納部２５０の収容箱２５１内部において紙葉類が上側に反る形で積み重ねられるようにしている。すなわち、本発明は、第２収納部２１０、第３収納部２２０及び第４収納部２３０のドラムが左側面視反時計回りに回転して紙葉類を収納するとともに、時計回りに回転して紙葉類を繰り出す構成となっている。
【００９７】
したがって、本発明の紙葉類処理装置１０では、第１収納部２５０の収容箱２５１内部において、紙葉類の両端部が浮き上がることがなく、紙葉類の詰まりが発生しにくい。
【００９８】
また、本発明の実施の形態では、第３搬送部１４０及び第５搬送部１８０の一部を下向きに傾斜させることにより、前面側に向かう搬送路を階段状に形成した。しかしながら、階段状に形成する態様は、これに限られない。
【００９９】
例えば、第１振分部１３０、第２振分部１５０及び第３振分部１７０は、順に、高い位置から低い位置となるように配置される。さらに、第２振分部１５０及び第３振分部１７０は、第１振分部１３０と同様、振分点Ｂ１，Ｃ１の位置が合流点Ｂ２，Ｃ２の位置よりも高い位置になるように配置される。さらに、第３搬送部１４０、第４搬送部１６０及び第５搬送部１８０は、前面側に向かって水平に形成される。
【０１００】
これにより、第２振分部１５０及び第３振分部１７０が、紙葉類を前面側に搬送する搬送部における段差部分となる。この場合、第３搬送部１４０、第４搬送部１６０又は第５搬送部１８０の一部を途中で傾斜させる必要がなく、これら搬送部の製造が容易になる。
【産業上の利用可能性】
【０１０１】
本発明は、紙葉類の収納および排出を行う紙葉類処理装置に広く利用可能である。
【符号の説明】
【０１０２】
１０  紙葉類処理装置
２０  筐体
１００  投入部
１１０  識別部
１２０  第１搬送部
１２５  折返部
１３０  第１振分部
１３０ａ、１３０ｂ、１３０ｃ  通過経路
１３０ａ１、１３０ｂ１、１３０ｃ１  ローラ
１３０ｄ  振分爪
１３０ｅ  振分部本体
１３５  第２搬送部
１４０  第３搬送部
１５０  第２振分部
１５０ａ、１５０ｂ、１５０ｃ  通過経路
１５０ａ１、１５０ｂ１、１５０ｃ１  ローラ
１５０ｄ  振分爪
１５０ｅ  振分部本体
１６０  第４搬送部
１７０  第３振分部
１７０ａ、１７０ｂ、１７０ｃ  通過経路
１７０ａ１、１７０ｂ１、１７０ｃ１  ローラ
１７０ｄ  振分爪
１７０ｅ  振分部本体
１８０  第５搬送部
１９０  投出部
１９０ａ  集積部
２００  シャッタ
２００ａ  シャッタ駆動装置
２１０  第２収納部
２２０  第３収納部
２３０  第４収納部
２４０  第６搬送部
２５０  第１収納部
Ａ１、Ｂ１、Ｃ１  振分点
Ａ２、Ｂ２、Ｃ２  合流点
【図１】
2019082804.tif 000003
【図２】
2019082804.tif 000004
【図３】
2019082804.tif 000005